(57)【要約】【課題】  手間がかからずに簡単でかつ外壁との一体感を出すことができる壁面緑化パネルおよび壁面緑化工法を提供することである。【解決手段】  壁面緑化パネル１は、矩形の枠体２の表面の収納凹部３に植生パッド４が収納され、該植生パッド４の表面を覆うネット５が枠体２に取り付けられ、この枠体２の上下部には収納凹部３に連通した灌水用通水口７が設けられ、枠体の裏面には定着アンカー１６が突設されたことである。【選択図】  図１
2010193741.tif 000002
【特許請求の範囲】
【請求項１】
矩形の枠体の表面の収納凹部に植生パッドが収納され、該植生パッドの表面を覆うネットが枠体に取り付けられ、この枠体の上下部には収納凹部に連通した灌水用通水口が設けられ、枠体の裏面には定着アンカーが突設されたことを特徴とする壁面緑化パネル。
【請求項２】
収納凹部は内側面が表面から奥側に向かって漸次外側に傾斜したことを特徴とする請求項１に記載の壁面緑化パネル。
【請求項３】
請求項１の壁面パネルを使用するものであり、該壁面パネルの枠体を上下左右に繋ぎ合わせて外枠とした壁型枠を組み立て形成するとともに、該壁型枠内にコンクリートを打設し、該コンクリートが硬化した後に枠板の収納凹部に植生パッドを収納し、該植生パッドの表面を覆うネットを枠体に取り付けることを特徴とする壁面緑化工法。
【請求項４】
収納凹部は内側面が表面から奥側に向かって漸次外側に傾斜したことを特徴とする請求項３に記載の壁面緑化パネル。
【発明の詳細な説明】
【技術分野】
【０００１】
本願発明は建物の意匠性の確保やヒートアイランド現象の抑制を図るための壁面緑化パネルおよびそれを用いた壁面緑化工法に関するものである。
【背景技術】
【０００２】
近年、建物の意匠性の確保やヒートアイランド現象の抑制を図るために建物の壁面を緑化する壁面緑化パネルや壁面緑化工法が考えられている。この壁面を緑化するものとしては、例えば、特開２００６−１１２１２９号公報の発明が知られている。これは壁材として用いた軽量気泡コンクリートパネルの外表面に所定の間隔をおいて平行かつ一体的に緑化パネルを設けたものであり、軽量気泡コンクリートパネル内に緑化パネル取付用アンカーを埋設し、この緑化パネル取付用アンカーに間隔保持部材を介して緑化パネルを取り付けたものである。
【先行技術文献】
【特許文献】
【０００３】
【特許文献１】特開２００６−１１２１２９号公報
【発明の概要】
【発明が解決しようとする課題】
【０００４】
しかし、上記のような壁面緑化工法は大がかりとなって手間がかかると共に、緑化パネルを壁面に後から取り付ける後付であるために、取って付けた感じがして意匠的にも優れていなかった。
【０００５】
本願発明はこれらの問題に鑑みてなされたものであり、その目的は、手間がかからずに簡単でかつ外壁との一体感を出すことができる壁面緑化パネルおよび壁面緑化工法を提供することである。
【課題を解決するための手段】
【０００６】
以上の課題を解決するための壁面緑化パネルは、矩形の枠体の表面の収納凹部に植生パッドが収納され、該植生パッドの表面を覆うネットが枠体に取り付けられ、この枠体の上下部には収納凹部に連通した灌水用通水口が設けられ、枠体の裏面には定着アンカーが突設されたことを特徴とする。また収納凹部は内側面が表面から奥側に向かって漸次外側に傾斜したことを含むものである。
【０００７】
また壁面緑化工法は、矩形の枠体の表面の収納凹部に植生パッドが収納され、該植生パッドの表面を覆うネットが枠体に取り付けられ、この枠体の上下部には収納凹部に連通した灌水用通水口が設けられ、枠体の裏面には定着アンカーが突設された壁面パネルを使用するものであり、該壁面パネルの枠体を上下左右に繋ぎ合わせて外枠とした壁型枠を組み立て形成するとともに、該壁型枠内にコンクリートを打設し、該コンクリートが硬化した後に枠体の収納凹部に植生パッドを収納し、該植生パッドの表面を覆うネットを枠体に取り付けることを特徴とする。また収納凹部は内側面が表面から奥側に向かって漸次外側に傾斜したことを含むものである。
【発明の効果】
【０００８】
壁面緑化パネルの枠体を上下左右に連続して繋ぎ合わせることにより壁型枠の外枠として使用することができる。また壁面緑化パネルを建物の外壁に一体に取り付けることができるので、手間がかからずに壁面緑化をすることができる。また枠体を外枠とした壁型枠内にコンクリートを打設することにより、壁面緑化パネルが外壁と一体的になるため外観の一体感を出すことができる。また壁面緑化パネルを壁型枠の外枠と兼用することができるので、型枠体を省略することができる。また建物の構築と同時に外観の意匠性の向上とヒートアイランド現象の抑制とを図ることができる。
【図面の簡単な説明】
【０００９】
【図１】第１の実施の形態の壁面緑化パネルであり、（１）は正面図、（２）は（１）のＡ−Ａ線断面図、（３）は固定プレートの斜視図、（４）は同断面図である。
【図２】第１の実施の形態の壁面緑化パネルであり、（１）は正面図、（２）は（１）のＢ−Ｂ線断面図である。
【図３】壁面緑化工法の正面図である。
【図４】壁面緑化工法の断面図である。
【発明を実施するための形態】
【００１０】
以下、本願発明の壁面緑化パネルおよび壁面緑化工法の実施の形態を図面に基づいて説明する。まず壁面緑化パネルの実施の形態について説明し、その後に、この壁面緑化パネルを使用した壁面緑化工法の実施の形態について説明するが、各実施の形態において同じ構成は同じ符号を付して説明し、異なった構成にのみ異なった符号を付して説明する。
【００１１】
図１は第１の実施の形態の壁面緑化パネル１である。この壁面緑化パネル１は、平面長方形の枠体２の表面に形成された収納凹部３に植生パッド４が収納され、該植生パッド４がネット５で覆われて枠体２に固定されて構成されている。この枠体２はＧＲＣまたはＦＲＰで適宜厚さに形成され、二つの収納凹部３の内側面６が奥側に向かって漸次外側に傾斜して形成されて、灌水が収納凹部３から流れ出さないようになっている。またこの収納凹部３の上下部には、枠体２を上下に重ねたときに上側からの灌水を下に流すための灌水用通水口７が二つ開口されている。
【００１２】
また植生パッド４を覆うネット５はメッシュ筋や金網などであり、枠体２の前面を全て覆って収納凹部３の周囲に設けた固定プレート８で枠体２に固定されている。この固定プレート８は上部プレート９と下部プレート１０とからなり、上部プレート９にはボルト１１の両側に鉄筋挿入用凹部１２が形成され、該鉄筋挿入用凹部１２にメッシュ筋などの鉄筋１３が挿入され、これを下部プレート１０で挟むようにしてボルト１１で枠体２に固定している。この下部プレート１０はボルトの雄ネジ１４にネジ込まれているため、ナット１５で上部プレート９を締め付けることによりネットの鉄筋１３を挟み付けることができるようになっている。また枠体２の周囲に設けた固定プレート８は上下左右の壁面緑化パネル１を接合するための連結プレートを兼ね、これでこれらを接合するものとする。
【００１３】
また、枠体２の背面には定着アンカー１６が適宜間隔をもって突設され、この定着アンカー１６で壁面緑化パネル２をコンクリートの壁面に定着するようになっている。また植生パッド４は従来周知のものであり、植物の種または植物の苗が植生され、収納凹部の底面１７に突設したフック１８によって固定されている。
【００１４】
また図２は第２の実施の形態の壁面緑化パネル２０である。この壁面緑化パネル２０は、ネット５で枠体２の前面の全てを覆うのではなく、植生パッドの前面のみを覆うようにして植生パッド４を収納凹部３に固定したものであり、これ以外は第１の実施の形態の壁面緑化パネル１と同じ構成である。これは収納凹部３に収納した植生パッド４よりやや小さなネット５を植生パッド４の前面に設置して固定プレート８で固定したものであり、この固定プレート８のボルト１１は収納凹部の底面１７にねじ込まれている。
【００１５】
なお、上記の第１および第２の実施の形態において収納凹部３は二つ形成されているが、これは二つに限らず、これ以上またはこれ以下であっても良い。
【００１６】
次に、第１の実施の形態の壁面緑化パネル１を使用した壁面緑化工法を図３および図４に基づいて説明する。まず壁型枠２１を組み立て形成するが、この壁型枠２１の外枠２２を壁面緑化パネルの枠体２で形成する。これは植生パッド４を収納凹部３に入れていない枠体２を上下左右に連続して設置し、これらを固定プレート８で接合して仮固定することにより外枠２２を形成するとともに、内枠２３をコンパネなどの通常の堰板で形成して壁型枠２１を組み立て形成する。このとき枠体２の収納凹部３には植生パッド４が収納されていないためネット５も取り付けられていないが、定着アンカー１６は壁型枠２１内に設置されている。また上下の枠体２の灌水用通水口７同士が接合されて、収納凹部３に灌水された水が上側の枠体２の収納凹部３から下側の枠体２の収納凹部３に流れるようになっている。
【００１７】
次に、この壁型枠２１内にコンクリート２４を打設し、このコンクリート２４が硬化した後に、枠体２同士を仮固定していた連結プレー兼用の固定プレート８を取り外すと、外枠兼用であった各枠体２がコンクリート壁２５の前面に一体的に取り付けられる。そして、各枠体２の収納凹部３に植生パッド４を収納し、この植生パッド４の表面を覆うネット５を枠体２の前面に固定プレート８で固定すると、コンクリート壁２５の前面に壁面緑化パネル１が一体的に形成される。すなわちコンクリート壁２５の壁型枠２１内にコンクリート２４を打設すると同時に壁面緑化パネル１をコンクリート壁２５に一体的に取り付けることができるものである。また植生パッド４には植物の種または植物の苗が植えられているため、これらがコンクリート壁２５の意匠性を優れたものにするとともに、ヒートアイランド現象の抑制を図ることができるようになる。
【符号の説明】
【００１８】
１、２０  壁面緑化パネル
２  枠体
３  収納凹部
４  植生パッド
５  ネット
６  収納凹部の内側面
７  灌水用通水口
８  固定プレート
９  上部プレート
１０  下部プレート
１１  ボルト
１２  鉄筋挿入用凹部
１３  鉄筋
１４  雄ネジ
１５  ナット
１６  定着アンカー
１７  収納凹部の底面
１８  フック
２１  壁型枠
２２  外枠
２３  内枠
２４  コンクリート
２５  コンクリート壁
【図１】
2010193741.tif 000003
【図２】
2010193741.tif 000004
【図３】
2010193741.tif 000005
【図４】
2010193741.tif 000006